(57)【要約】【課題】強制循環式ふろ追焚き運転時における入浴者の安全性を確認すること。【解決手段】ふろ追焚き運転等の循環ポンプ８の作動時に、入浴者の髪の毛がふろアダプタ２のふろ戻り側流路４に吸い込まれる等の突発的にふろ戻り側流路４が詰まりそうな状態になり、水流スイッチ１１のオフ流量よりも大きな循環流量の低下が発生しかつこの時循環ポンプ８の作動が継続した場合には、その状態を認識してふろ戻り側流路４に詰まりが発生したことを報知すると共に、循環ポンプ８を停止するようにしている。【選択図】　図１
2004037045.tif 000002
【特許請求の範囲】
【請求項１】
浴槽水を循環ポンプによって熱交換部に導くふろ戻り側流路と、前記熱交換部によって受熱した浴槽水を浴槽に導くふろ往き側流路と、前記ふろ戻り側流路を流れる循環水の温度を検出するふろ戻り側温度センサと、前記ふろ往き側流路を流れる循環水の温度を検出するふろ往き側温度センサと、前記ふろ戻り側流路および前記ふろ往き側流路の循環流量を検出する循環流量検知部内の第１水流スイッチおよび第２水流スイッチと、前記ふろ追焚き運転条件等の設定を行える外部入力装置と、前記ふろ戻り側流路において詰まりが発生した場合の詰まり検出信号が入力されてふろ戻り流路における詰まりを認識し、前記循環ポンプの駆動を停止させる循環ポンプ駆動停止信号と前記外部入力装置に詰まりエラー表示信号を出力する制御手段とを備え、試運転時に前記第２水流スイッチのオン・オフ状態を検出し、オンならば詰まり検出用に前記第２水流スイッチを採用し、オフならば詰まり検出用に前記第１水流スイッチを採用する詰まり検出機能付強制循環式ふろ釜。
【請求項２】
浴槽水を循環ポンプによって熱交換部に導くふろ戻り側流路と、前記熱交換部によって受熱した浴槽水を浴槽に導くふろ往き側流路と、前記ふろ戻り側流路を流れる循環水の温度を検出するふろ戻り側温度センサと、前記ふろ往き側流路を流れる循環水の温度を検出するふろ往き側温度センサと、前記ふろ戻り側流路および前記ふろ往き側流路の循環流量を検出する循環流量検知部内の第１水流スイッチおよび第２水流スイッチと、ふろ追焚き運転条件等を設定する外部入力装置と、前記ふろ戻り側流路において詰まりが発生した場合の詰まり検出信号が入力されてふろ戻り流路における詰まりを認識し、前記循環ポンプの駆動を停止させる循環ポンプ駆動停止信号と前記外部入力装置に詰まりエラー表示信号を出力する制御手段とを備え、試運転時に前記第２水流スイッチのオン・オフ状態を検出し、この時第２水流スイッチがオンであって、かつ試運転時に学習する循環流量が前記第２水流スイッチのオフ流量よりも所定値大きければ詰まり検出用に第２水流スイッチを採用し、第２水流スイッチがオフであるか、または第２水流スイッチがオンであっても試運転時に学習する循環流量が前記第２水流スイッチのオフ時の流量よりも所定値大きくなければ詰まり検出用に前記第１水流スイッチを採用する詰まり検出機能付強制循環式ふろ釜。
【請求項３】
浴槽水を循環ポンプによって熱交換部に導くふろ戻り側流路と、前記熱交換部によって受熱した浴槽水を浴槽に導くふろ往き側流路と、前記ふろ戻り側流路を流れる循環水の温度を検出するふろ戻り側温度センサと、前記ふろ往き側流路を流れる循環水の温度を検出するふろ往き側温度センサと、前記ふろ戻り側流路および前記ふろ往き側流路の循環流量を検出する循環流量検知部内の第１水流スイッチおよび第２水流スイッチと、ふろ追焚き運転条件等を設定する外部入力装置と、前記ふろ戻り側流路において詰まりが発生した場合の詰まり検出信号が入力されてふろ戻り流路における詰まりを認識し、前記循環ポンプの駆動を停止させる循環ポンプ駆動停止信号と前記外部入力装置に詰まりエラー表示信号を出力する制御手段とを備え、試運転時に前記第２水流スイッチのオン・オフ状態を検出して前記外部入力装置の表示画面等にその結果を表示し、前記第２水流スイッチが、オンならば詰まり検出用に第２水流スイッチを採用し、オフならば第１水流スイッチを採用できるようにした詰まり検出機能付強制循環式ふろ釜。
【請求項４】
浴槽水を循環ポンプによって熱交換部に導くふろ戻り側流路と、前記熱交換部によって受熱した浴槽水を浴槽に導くふろ往き側流路と、前記ふろ戻り側流路を流れる循環水の温度を検出するふろ戻り側温度センサと、前記ふろ往き側流路を流れる循環水の温度を検出するふろ往き側温度センサと、前記ふろ戻り側流路および前記ふろ往き側流路の循環流量を検出する循環流量検知部内の第１水流スイッチおよび第２水流スイッチと、ふろ追焚き運転条件等を設定する外部入力装置と、前記ふろ戻り側流路において詰まりが発生した場合の詰まり検出信号が入力されてふろ戻り流路における詰まりを認識し、前記循環ポンプの駆動を停止させる循環ポンプ駆動停止信号と前記外部入力装置に詰まりエラー表示信号を出力する制御手段とを備え、試運転時に前記第２水流スイッチのオン・オフ状態を検出して前記外部入力装置表の示画面等にその結果を表示し、この時前記第２水流スイッチがオンであって、かつ試運転時に学習する循環流量が前記第２水流スイッチのオフ流量よりも所定値大きければ詰まり検出用に第２水流スイッチを採用でき、この第２水流スイッチがオフであるか、またはオンであっても試運転時に学習する循環流量が第２水流スイッチのオフ時の流量よりも所定値大きくなければ詰まり検出用に第１水流スイッチを採用できるモード切替手段を備えた詰まり検出機能付強制循環式ふろ釜。
【請求項５】
浴槽水を循環ポンプによって熱交換部に導くふろ戻り側流路と、前記熱交換部によって受熱した浴槽水を浴槽に導くふろ往き側流路と、前記ふろ戻り側流路を流れる循環水の温度を検出するふろ戻り側温度センサと、前記ふろ往き側流路を流れる循環水の温度を検出するふろ往き側温度センサと、前記ふろ戻り側流路および前記ふろ往き側流路の循環流量を常時検出できる循環流量検知部内の水流センサと、前記ふろ追焚き運転条件等の設定を行える外部入力装置と、前記ふろ戻り側流路において詰まりが発生した場合の詰まり検出信号が入力されてふろ戻り流路における詰まりを認識し、前記循環ポンプの駆動を停止させる循環ポンプ駆動停止信号と外部入力装置に詰まりエラー表示信号を出力する制御手段とを備え、循環ポンプ動作時に水流センサで検出される循環流量よりも所定値小さい値を詰まり検出流量とする詰まり検出機能付強制循環式ふろ釜。
【請求項６】
浴槽水を循環ポンプによって熱交換部に導くふろ戻り側流路と、前記熱交換部によって受熱した浴槽水を浴槽に導くふろ往き側流路と、前記ふろ戻り側流路を流れる循環水の温度を検出するふろ戻り側温度センサと、前記ふろ往き側流路を流れる循環水の温度を検出するふろ往き側温度センサと、前記ふろ戻り側流路および前記ふろ往き側流路の循環流量を常時検出できる循環流量検知部内の水流センサと、ふろ追焚き運転条件等の設定を行える外部入力装置と、前記ふろ戻り側流路において詰まりが発生した場合の詰まり検出信号が入力されてふろ戻り流路における詰まりを認識し、前記循環ポンプの駆動を停止させる循環ポンプ駆動停止信号と外部入力装置に詰まりエラー表示信号を出力する制御手段とを備え、水流センサで検出される循環流量から決定した流量を前記外部入力装置から入力し、この値を詰まり検出流量として採用する詰まり検出機能付強制循環式ふろ釜。
【発明の詳細な説明】
【０００１】
【発明の属する技術分野】
本発明は、浴槽水を追焚きする詰まり検出機能付強制循環式ふろ釜に関する。
【０００２】
【従来の技術】
従来のふろ釜は図１に示すような構成になっていた。図１４において、ふろ追焚き運転時には浴槽水は循環ポンプ８が作動することによりふろ戻り側流路４を通って熱交換部５で受熱し、ふろ往き側流路３を通って浴槽２へと循環する。また浴槽水温度を確認する保温キープ運転や、冬季にふろ配管が凍結することを回避するために浴槽水を循環させる凍結予防運転等の、ふろ追焚き運転時以外で循環ポンプが作動する場合には、浴槽水はふろ戻り側流路４、熱交換部５、およびふろ往き側流路３を通って浴槽２へと循環する。
【０００３】
追焚き運転時には、循環ポンプ８が作動して浴槽水の循環が開始して水流スイッチ１１がオンになると、燃焼が開始し熱交換部５で受熱する。なおこの水流スイッチ１１は所定の循環流量（例えば４．０Ｌ／ｍｉｎ）以下でオンになり、所定の循環流量（例えば３．０Ｌ／ｍｉｎ）以上でオフになる特性を有している。循環水の温度は、ふろ往き側流路５ではふろ往き側温度センサ６で、ふろ戻り側流路４ではふろ戻り側温度センサ７で検出する。受熱が進行してふろ戻り側温度が上昇してくると、徐々に燃焼量を小さくする制御が施され、ふろ戻り側温度が外部入力装置９で設定したふろ沸き上げ温度になると追焚き運転は終了する。
【０００４】
循環ポンプ８作動時の循環流量は水流スイッチ１１では検出できないが、本強制循環式ふろ釜を設置した際に施工業者等が行う試運転時において循環流量を学習することができる。すなわちこの試運転時に、ある一定の燃焼量Ａｋｃａｌ／ｈ（例えば５０００ｋｃａｌ／ｈ）で燃焼し、ふろ往き側温度センサ６で検出されるふろ往き側温度Ｔ１℃とふろ戻り側温度センサ７で検出されるふろ戻り側温度Ｔ２℃から以下の式で算出されるふろ往き側流路５およびふろ戻り側流路４を流れる循環流量　Ｑ　Ｌ／ｍｉｎを学習する。
【０００５】
Ｑ＝ηＡ／（６０（Ｔ１−Ｔ２））
ただし上式において、ηは熱効率（たとえば０．８０）を表す。なお循環流量は設置時のふろ配管長さ等の流路抵抗によって決まり、良好な使い勝手を得るため、上述の水流スイッチ１１のオン流量よりも十分大きくなるような範囲でのふろ配管施工を推奨している。
【０００６】
ここでふろ追焚き運転等の循環ポンプ８作動時に、入浴者の髪の毛がふろアダプタ２のふろ戻り側流路４に吸い込まれる等の突発的なふろ戻り側流路４の詰まりが発生し、通常使用時の循環流量（例えば９．０Ｌ／ｍｉｎ）よりも減少（例えば５．０Ｌ／ｍｉｎ）するが、水流スイッチ１１のオフ流量（例えば３．５Ｌ／ｍｉｎ）よりも大きい場合、水流スイッチ１１のオン・オフ状態によって循環流量の有無を認識する本構成においては、ふろ戻り側流路４の詰まりによる循環流量低下を検知できないため循環ポンプ８の作動は継続する。このため入浴者の髪の毛がふろアダプタ２のふろ戻り側流路４に吸い込まれる等のふろ戻り側流路４の詰まりが継続する可能性が大きい。
【０００７】
【発明が解決しようとする課題】
ふろ追焚き運転等の循環ポンプ作動時に、入浴者の髪の毛がふろアダプタのふろ戻り側流路に吸い込まれる等の突発的なふろ戻り側流路の詰まりが発生し、水流スイッチのオフ流量よりも大きな循環流量の低下が発生して循環ポンプの作動が継続した場合、入浴者が不安全な状来にさらされるという可能性を有していた。
【０００８】
【課題を解決するための手段】
上記課題を解決するために本発明の詰まり検出機能付強制循環式ふろ釜は、ふろ追焚き運転等の循環ポンプ作動時に、入浴者の髪の毛がふろアダプタのふろ戻り側流路に吸い込まれる等の突発的なふろ戻り側流路の詰まりが発生し、水流スイッチのオフ流量よりも大きな循環流量の低下が発生して循環ポンプの作動が継続した場合、その状態を認識してふろ戻り側流路の詰まりの発生を報知し、循環ポンプの駆動停止を行う機能を備えたものである。
【０００９】
上記発明によれば、ふろ追焚き運転等の循環ポンプ作動時に、入浴者の髪の毛がふろアダプタのふろ戻り側流路に吸い込まれる等の突発的なふろ戻り側流路の詰まりが発生し、水流スイッチのオフ流量よりも大きな循環流量の低下が発生して循環ポンプの作動が継続した場合、その状態を認識してふろ戻り側流路の詰まりの発生を報知し、循環ポンプの駆動停止を行う機能を備えているため、入浴者が不安全な状来にさらされるという可能性が排除される。
【００１０】
【発明の実施の形態】
本発明は、浴槽水を循環ポンプによって熱交換部に導くふろ戻り側流路と、熱交換部によって受熱した浴槽水を浴槽に導くふろ往き側流路と、ふろ戻り側流路を流れる循環水の温度を検出するふろ戻り側温度センサと、ふろ往き側流路を流れる循環水の温度を検出するふろ往き側温度センサと、ふろ戻り側流路およびふろ往き側流路の循環流量を検出する循環流量検知部と、ふろ追焚き運転条件等の設定を行える外部入力装置と、ふろ戻り側流路において詰まりが発生した場合の詰まり検出信号が入力されてふろ戻り流路における詰まりを認識し、循環ポンプの駆動を停止させる循環ポンプ駆動停止信号と外部入力装置に詰まりエラー表示信号を出力する制御手段を備えた詰まり検出機能付強制循環式ふろ釜である。
【００１１】
以下に本発明の実施例について図を用いて説明する。
【００１２】
（実施例１）
図１は、本発明実施例１の強制排水機能付きふろ釜の構成図である。
【００１３】
図１において、ふろ追焚き運転等の循環ポンプ作動時に、入浴者の髪の毛がふろアダプタ２のふろ戻り側流路４に吸い込まれる等の突発的なふろ戻り側流路４の詰まりが発生して循環流量が低下した状態を検出するために、ふろ戻り側流路４中に循環流量検知部１４を設ける。この循環流量検知部１４にはオン流量およびオフ流量が異なる２種類の水流スイッチを設けている。これら２種類の水流スイッチをそれぞれ、オン流量およびオフ流量が小さい方を第１水流スイッチ１２、オン流量およびオフ流量が大きい方を第２水流スイッチ１３とする。これら２種類の水流スイッチのオン流量およびオフ流量の仕様は例えば次のようにする。
【００１４】
2004037045.tif 000003
ところで循環ポンプ８の通常作動時において、ふろ配管中の循環流量はふろ配管長さ等の流路抵抗の大きさによって左右される。例えばふろ配管長さが１ｍ程度の流路抵抗が小さな場合、循環ポンプ８の通常作動時の循環流量は９．０Ｌ／ｍｉｎ程度、ふろ配管長さが１５ｍ程度の流路抵抗が大きい場合、循環ポンプ８の通常作動時の循環流量は５．０Ｌ／ｍｉｎ程度である。この流路抵抗の違いによって異なる循環ポンプ８の通常作動時の循環流量に対応して、ふろ戻り側流路４の詰まりによる循環流量低下状態を検出するため、循環流量検知部１４中の第１水流スイッチ１２と第２水流スイッチ１３のどちらか一方を詰まり検出用に採用するかを決定する判断機能１６を制御手段１０中に設けている。この詰まり検出用に第１水流スイッチ１２と第２水流スイッチ１３のどちらを採用するかの決定は、本強制循環式ふろ釜を設置した際に施工業者等が行う試運転時に行われる。
【００１５】
図４は、ふろ配管の流路抵抗が小さく循環ポンプ８の通常作動時循環流量が大きく、試運転時に第１水流スイッチ１２と第２水流スイッチ１３が共にオンした場合を示している。この時判断機能１６には、第２水流スイッチオン検出信号Ｄが入力され、判断機能１６は詰まり検出用として第２水流スイッチ１３を採用することに決定して、循環流量検知部１４に対し第２水流スイッチ採用信号Ｅを出力する。ふろ追焚き運転等の循環ポンプ８作動時に、入浴者の髪の毛がふろアダプタ２のふろ戻り側流路４に吸い込まれる等の突発的なふろ戻り側流路４の詰まりが発生し、通常使用時の循環流量（例えば９．０Ｌ／ｍｉｎ）よりも減少（例えば５．０Ｌ／ｍｉｎ）すれば、通常使用時の循環流量（例えば９．０Ｌ／ｍｉｎ）ではオンしていた第２水流スイッチがオフになるので、図２に示すように循環流量検知部１４からは詰まり検出信号Ａが制御手段１０に入力され、制御手段１０は循環ポンプ８に対し循環ポンプ８の駆動停止を行う循環ポンプ駆動停止信号Ｂを、外部入力手段９に対し外部入力手段表示部にふろ戻り側流路４中に詰まりが発生したことを示す詰まりエラー表示信号Ｃを出力する。
【００１６】
図５は、ふろ配管の流路抵抗が大きく循環ポンプ８の通常作動時循環流量が小さく、試運転時に第１水流スイッチ１２はオンであるが、第２水流スイッチ１３はオフである場合を示している。この時判断機能１６には、第２水流スイッチオフ検出信号Ｆが入力され、判断機能１６は詰まり検出用として第１水流スイッチ１２を採用することに決定して、循環流量検知部１４に対し第１水流スイッチ採用信号Ｇを出力する。ふろ追焚き運転等の循環ポンプ８作動時に、入浴者の髪の毛がふろアダプタ２のふろ戻り側流路４に吸い込まれる等の突発的なふろ戻り側流路４の詰まりが発生し、通常使用時の循環流量（例えば５．０Ｌ／ｍｉｎ）よりも減少（例えば２．０Ｌ／ｍｉｎ）すれば、通常使用時の循環流量（例えば５．０Ｌ／ｍｉｎ）ではオンしていた第１水流スイッチがオフになるので、図２に示すように循環流量検知部１４からは詰まり検出信号Ａが制御手段１０に入力され、制御手段１０は循環ポンプ８に対し循環ポンプ８の駆動停止を行う循環ポンプ駆動停止信号Ｂを、外部入力手段９に対し外部入力手段表示部にふろ戻り側流路４中に詰まりが発生したことを示す詰まりエラー表示信号Ｃを出力する。
【００１７】
以上より本構成において、ふろ追焚き運転等の循環ポンプ８作動時に、入浴者の髪の毛がふろアダプタ２のふろ戻り側流路４に吸い込まれる等の突発的なふろ戻り側流路４の詰まりが発生した場合、ふろ戻り側流路４の詰まりの発生を報知し、循環ポンプ８の駆動停止を行う機能を備えているため、入浴者が不安全な状来にさらされるような可能性の要素が排除される。
【００１８】
（実施例２）
図１は、本発明実施例２の強制排水機能付きふろ釜の構成図である。
【００１９】
図１において、ふろ追焚き運転等の循環ポンプ作動時に、入浴者の髪の毛がふろアダプタ２のふろ戻り側流路４に吸い込まれる等の突発的なふろ戻り側流路４の詰まりが発生して循環流量が低下した状態を検出するために、ふろ戻り側流路４中に循環流量検知部１４を設ける。この循環流量検知部１４にはオン流量およびオフ流量が異なる２種類の水流スイッチを設けている。これら２種類の水流スイッチをそれぞれ、オン流量およびオフ流量が小さい方を第１水流スイッチ１２、オン流量およびオフ流量が大きい方を第２水流スイッチ１３とする。これら２種類の水流スイッチのオン流量およびオフ流量の仕様は例えば次のようにする。
【００２０】
2004037045.tif 000004
ところで循環ポンプ８の通常作動時において、ふろ配管中の循環流量はふろ配管長さ等の流路抵抗の大きさによって左右される。例えばふろ配管長さが１ｍ程度の流路抵抗が小さな場合、循環ポンプ８の通常作動時の循環流量は９．０Ｌ／ｍｉｎ程度、ふろ配管長さが１５ｍ程度の流路抵抗が大きい場合、循環ポンプ８の通常作動時の循環流量は５．０Ｌ／ｍｉｎ程度である。この流路抵抗の違いによって異なる循環ポンプ８の通常作動時の循環流量に対応して、ふろ戻り側流路４の詰まりによる循環流量低下状態を検出するため、循環流量検知部１４中の第１水流スイッチ１２と第２水流スイッチ１３のどちらか一方を詰まり検出用に採用するかを決定する判断機能１６を制御手段１０中に設けている。この詰まり検出用に第１水流スイッチ１２と第２水流スイッチ１３のどちらを採用するかの決定は、本強制循環式ふろ釜を設置した際に施工業者等が行う試運転時に行われる。
【００２１】
図６は、ふろ配管の流路抵抗が小さく循環ポンプ８の通常作動時循環流量が大きく、試運転時に第１水流スイッチ１２と第２水流スイッチ１３が共にオンし、かつ学習した循環流量（例えば９．０Ｌ／ｍｉｎ）が第２水流スイッチのオフ流量（例えば６．０Ｌ／ｍｉｎ）よりも所定値（例えば１．０Ｌ／ｍｉｎ）よりも大きい場合を示している。試運転時の循環流量の学習は次のように行われる。すなわちふろ追焚き運転を行い、ある一定の燃焼量Ａｋｃａｌ／ｈ（例えば５０００ｋｃａｌ／ｈ）で燃焼し、ふろ往き側温度センサ６で検出されるふろ往き側温度Ｔ１℃とふろ戻り側温度センサ７で検出されるふろ戻り側温度Ｔ２℃から以下の式で算出されるふろ往き側流路５およびふろ戻り側流路４を流れる循環流量　Ｑ　Ｌ／ｍｉｎを学習する。
【００２２】
Ｑ＝ηＡ／（６０（Ｔ１−Ｔ２））
ただし上式において、ηは熱効率（たとえば０．８０）を表す。この時判断機能１６には、第２水流スイッチオン検出信号Ｄが入力され、判断機能１６は学習した循環流量（例えば９．０Ｌ／ｍｉｎ）が、第２水流スイッチのオフ流量（例えば６．０Ｌ／ｍｉｎ）よりも所定値（例えば１．０Ｌ／ｍｉｎ）大きい値（例えば７．０Ｌ／ｍｉｎ）よりも大きいことを判定した上で詰まり検出用として第２水流スイッチ１３を採用することに決定して、循環流量検知部１４に対し第２水流スイッチ採用信号Ｅを出力する。ふろ追焚き運転等の循環ポンプ８作動時に、入浴者の髪の毛がふろアダプタ２のふろ戻り側流路４に吸い込まれる等の突発的なふろ戻り側流路４の詰まりが発生し、通常使用時の循環流量（例えば９．０Ｌ／ｍｉｎ）よりも減少（例えば５．０Ｌ／ｍｉｎ）すれば、通常使用時の循環流量（例えば９．０Ｌ／ｍｉｎ）ではオンしていた第２水流スイッチがオフになるので、図１に示すように循環流量検知部１４からは詰まり検出信号Ａが制御手段１０に入力され、制御手段１０は循環ポンプ８に対し循環ポンプ８の駆動停止を行う循環ポンプ駆動停止信号Ｂを、外部入力手段９に対し外部入力手段表示部にふろ戻り側流路４中に詰まりが発生したことを示す詰まりエラー表示信号Ｃを出力する。
【００２３】
図７は、試運転時に第２水流スイッチがオンであっても、学習した循環流量（例えば６．５Ｌ／ｍｉｎ）が第２水流スイッチのオフ流量（例えば６．０Ｌ／ｍｉｎ）よりも所定値（例えば１．０Ｌ／ｍｉｎ）大きくなければ詰まり検出用に第１水流スイッチ１２を採用する場合を示している。この時判断機能１６には、第２水流スイッチオン検出信号Ｄが入力され、判断機能１６は学習した循環流量（例えば６．５Ｌ／ｍｉｎ）が、第２水流スイッチのオフ流量（例えば６．０Ｌ／ｍｉｎ）よりも所定値（例えば１．０Ｌ／ｍｉｎ）大きい値（例えば７．０Ｌ／ｍｉｎ）よりも小さいことを判定した上で詰まり検出用として第１水流スイッチ１２を採用することに決定して、循環流量検知部１４に対し第１水流スイッチ採用信号Ｇを出力する。
【００２４】
ふろ追焚き運転等の循環ポンプ８作動時に、入浴者の髪の毛がふろアダプタ２のふろ戻り側流路４に吸い込まれる等の突発的なふろ戻り側流路４の詰まりが発生し、通常使用時の循環流量（例えば６．５Ｌ／ｍｉｎ）よりも減少（例えば２．０Ｌ／ｍｉｎ）すれば、通常使用時の循環流量（例えば６．５Ｌ／ｍｉｎ）ではオンしていた第１水流スイッチがオフになるので、図１に示すように循環流量検知部１４からは詰まり検出信号Ａが制御手段１０に入力され、制御手段１０は循環ポンプ８に対し循環ポンプ８の駆動停止を行う循環ポンプ駆動停止信号Ｂを、外部入力手段９に対し外部入力手段表示部にふろ戻り側流路４中に詰まりが発生したことを示す詰まりエラー表示信号Ｃを出力する。
【００２５】
ここで詰まり検出用に第２水流スイッチ１３の採用を決定する際に、試運転時の第２水流スイッチのオン条件に加えて、学習した循環流量が第２水流スイッチのオフ流量（例えば６．０Ｌ／ｍｉｎ）に対して所定値（例えば１．０Ｌ／ｍｉｎ）よりも大きい条件を考慮するのは、第２水流スイッチの個体差等によるオフ流量のバラツキを払拭するためである。これは第２水流スイッチのオフ流量（例えば６．０Ｌ／ｍｉｎ）よりも確実に大きな循環流量時（例えば９．０Ｌ／ｍｉｎ）にふろ戻り側流路４の詰まりが発生し、循環流量低下（例えば５．０Ｌ／ｍｉｎ）する状況をふろ戻り側流路４の詰まりとして第２水流スイッチで確実に検出するためである。
【００２６】
なお、ふろ配管の流路抵抗が大きく循環ポンプ８の通常作動時循環流量が小さく、試運転時に第１水流スイッチ１２はオンであるが、第２水流スイッチ１３はオフである場合は図６に示すように判断機能１６には、第２水流スイッチオフ検出信号Ｆが入力され、判断機能１６は詰まり検出用として第１水流スイッチ１２を採用することに決定して、循環流量検知部１４に対し第１水流スイッチ採用信号Ｇを出力する。ふろ追焚き運転等の循環ポンプ８作動時に、入浴者の髪の毛がふろアダプタ２のふろ戻り側流路４に吸い込まれる等の突発的なふろ戻り側流路４の詰まりが発生し、通常使用時の循環流量（例えば５．０Ｌ／ｍｉｎ）よりも減少（例えば２．０Ｌ／ｍｉｎ）すれば、通常使用時の循環流量（例えば５．０Ｌ／ｍｉｎ）ではオンしていた第１水流スイッチがオフになるので、図１に示すように循環流量検知部１４からは詰まり検出信号Ａが制御手段１０に入力され、制御手段１０は循環ポンプ８に対し循環ポンプ８の駆動停止を行う循環ポンプ駆動停止信号Ｂを、外部入力手段９に対し外部入力手段表示部にふろ戻り側流路４中に詰まりが発生したことを示す詰まりエラー表示信号Ｃを出力する。
【００２７】
以上より本構成において、ふろ追焚き運転等の循環ポンプ８作動時に、入浴者の髪の毛がふろアダプタ２のふろ戻り側流路４に吸い込まれる等の突発的なふろ戻り側流路４の詰まりが発生した場合、ふろ戻り側流路４の詰まりの発生を報知し、循環ポンプ８の駆動停止を行う機能を備えているため、入浴者が不安全な状来にさらされるという可能性が排除される。
【００２８】
（実施例３）
図２は、本発明実施例３の強制排水機能付きふろ釜の構成図である。図２において、ふろ追焚き運転等の循環ポンプ作動時に、入浴者の髪の毛がふろアダプタ２のふろ戻り側流路４に吸い込まれる等の突発的なふろ戻り側流路４の詰まりが発生して循環流量が低下した状態を検出するために、ふろ戻り側流路４中に循環流量検知部１４を設ける。この循環流量検知部１４にはオン流量およびオフ流量が異なる２種類の水流スイッチを設けている。これら２種類の水流スイッチをそれぞれ、オン流量およびオフ流量が小さい方を第１水流スイッチ１２、オン流量およびオフ流量が大きい方を第２水流スイッチ１３とする。これら２種類の水流スイッチのオン流量およびオフ流量の仕様は例えば次のようにする。
【００２９】
2004037045.tif 000005
ところで循環ポンプ８の通常作動時において、ふろ配管中の循環流量はふろ配管長さ等の流路抵抗の大きさによって左右される。例えばふろ配管長さが１ｍ程度の流路抵抗が小さな場合、循環ポンプ８の通常作動時の循環流量は９．０Ｌ／ｍｉｎ程度、ふろ配管長さが１５ｍ程度の流路抵抗が大きい場合、循環ポンプ８の通常作動時の循環流量は５．０Ｌ／ｍｉｎ程度である。この流路抵抗の違いによって異なる循環ポンプ８の通常作動時の循環流量に対応して、ふろ戻り側流路４の詰まりによる循環流量低下状態を検出するため、本強制循環式ふろ釜の設置時に施工業者等が、循環流量検知部１４中の第１水流スイッチ１２と第２水流スイッチ１３のどちらか一方を詰まり検出用に採用するかを選択できるモード切替手段１７を制御手段１０中に設けている。この詰まり検出用に第１水流スイッチ１２と第２水流スイッチ１３のどちらを採用するかの決定は、本強制循環式ふろ釜を設置した際に施工業者等が行う試運転時に行われる。
【００３０】
図８は、ふろ配管の流路抵抗が小さく循環ポンプ８の通常作動時循環流量が大きく、試運転時に第１水流スイッチ１２と第２水流スイッチ１３が共にオンした場合を示している。この時制御手段１０には、第２水流スイッチオン検出信号Ｄが入力され、時制御手段１０は第２水流スイッチがオンしたことを外部入力装置９表示画面上に表示する第２水流スイッチオン表示信号Ｈを出力する。施工業者等はこの第２水流スイッチ１３がオンしたことを確認し、モード切替手段１７において第２水流スイッチ１３を詰まり検出用として設定する。ふろ追焚き運転等の循環ポンプ８作動時に、入浴者の髪の毛がふろアダプタ２のふろ戻り側流路４に吸い込まれる等の突発的なふろ戻り側流路４の詰まりが発生し、通常使用時の循環流量（例えば９．０Ｌ／ｍｉｎ）よりも減少（例えば５．０Ｌ／ｍｉｎ）すれば、通常使用時の循環流量（例えば９．０Ｌ／ｍｉｎ）ではオンしていた第２水流スイッチがオフになるので、図２に示すように循環流量検知部１４からは詰まり検出信号Ａが制御手段１０に入力され、制御手段１０は循環ポンプ８に対し循環ポンプ８の駆動停止を行う循環ポンプ駆動停止信号Ｂを、外部入力手段９に対し外部入力手段表示部にふろ戻り側流路４中に詰まりが発生したことを示す詰まりエラー表示信号Ｃを出力する。
【００３１】
図９は、ふろ配管の流路抵抗が大きく循環ポンプ８の通常作動時循環流量が小さく、試運転時に第１水流スイッチ１２はオンであるが、第２水流スイッチ１３はオフである場合を示している。この時制御手段１０には、第２水流スイッチオフ検出信号Ｆが入力され、時制御手段１０は第２水流スイッチがオフしたことを外部入力装置９表示画面上に表示する第２水流スイッチオフ表示信号Ｉを出力する。施工業者等はこの第２水流スイッチ１３がオフしたことを確認し、モード切替手段１７において第１水流スイッチ１２を詰まり検出用として設定する。
【００３２】
ふろ追焚き運転等の循環ポンプ８作動時に、入浴者の髪の毛がふろアダプタ２のふろ戻り側流路４に吸い込まれる等の突発的なふろ戻り側流路４の詰まりが発生し、通常使用時の循環流量（例えば５．０Ｌ／ｍｉｎ）よりも減少（例えば２．０Ｌ／ｍｉｎ）すれば、通常使用時の循環流量（例えば５．０Ｌ／ｍｉｎ）ではオンしていた第１水流スイッチがオフになるので、図２に示すように循環流量検知部１４からは詰まり検出信号Ａが制御手段１０に入力され、制御手段１０は循環ポンプ８に対し循環ポンプ８の駆動停止を行う循環ポンプ駆動停止信号Ｂを、外部入力手段９に対し外部入力手段表示部にふろ戻り側流路４中に詰まりが発生したことを示す詰まりエラー表示信号Ｃを出力する。
【００３３】
以上より本構成において、ふろ追焚き運転等の循環ポンプ８作動時に、入浴者の髪の毛がふろアダプタ２のふろ戻り側流路４に吸い込まれる等の突発的なふろ戻り側流路４の詰まりが発生した場合、ふろ戻り側流路４の詰まりの発生を報知し、循環ポンプ８の駆動停止を行う機能を備えているため、入浴者が不安全な状来にさらされるような可能性が排除される。
【００３４】
（実施例４）
図２は、本発明実施例４の強制排水機能付きふろ釜の構成図である。図３において、ふろ追焚き運転等の循環ポンプ作動時に、入浴者の髪の毛がふろアダプタ２のふろ戻り側流路４に吸い込まれる等の突発的なふろ戻り側流路４の詰まりが発生して循環流量が低下した状態を検出するために、ふろ戻り側流路４中に循環流量検知部１４を設ける。この循環流量検知部１４にはオン流量およびオフ流量が異なる２種類の水流スイッチを設けている。これら２種類の水流スイッチをそれぞれ、オン流量およびオフ流量が小さい方を第１水流スイッチ１２、オン流量およびオフ流量が大きい方を第２水流スイッチ１３とする。これら２種類の水流スイッチのオン流量およびオフ流量の仕様は例えば次のようにする。
【００３５】
2004037045.tif 000006
ところで循環ポンプ８の通常作動時において、ふろ配管中の循環流量はふろ配管長さ等の流路抵抗の大きさによって左右される。例えばふろ配管長さが１ｍ程度の流路抵抗が小さな場合、循環ポンプ８の通常作動時の循環流量は９．０Ｌ／ｍｉｎ程度、ふろ配管長さが１５ｍ程度の流路抵抗が大きい場合、循環ポンプ８の通常作動時の循環流量は５．０Ｌ／ｍｉｎ程度である。この流路抵抗の違いによって異なる循環ポンプ８の通常作動時の循環流量に対応して、ふろ戻り側流路４の詰まりによる循環流量低下状態を検出するため、本強制循環式ふろ釜の設置時に施工業者等が、循環流量検知部１４中の第１水流スイッチ１２と第２水流スイッチ１３のどちらか一方を詰まり検出用に採用するかを選択できるモード切替手段１７を制御手段１０中に設けている。この詰まり検出用に第１水流スイッチ１２と第２水流スイッチ１３のどちらを採用するかの決定は、本強制循環式ふろ釜を設置した際に施工業者等が行う試運転時に行われる。
【００３６】
図１０は、ふろ配管の流路抵抗が小さく循環ポンプ８の通常作動時循環流量が大きく、試運転時に第１水流スイッチ１２と第２水流スイッチ１３が共にオンし、かつ学習した循環流量（例えば９．０Ｌ／ｍｉｎ）が第２水流スイッチのオフ流量（例えば６．０Ｌ／ｍｉｎ）よりも所定値（例えば１．０Ｌ／ｍｉｎ）よりも大きい場合を示している。試運転時の循環流量の学習は次のように行われる。すなわちふろ追焚き運転を行い，ある一定の燃焼量Ａｋｃａｌ／ｈ（例えば５０００ｋｃａｌ／ｈ）で燃焼し、ふろ往き側温度センサ６で検出されるふろ往き側温度Ｔ１℃とふろ戻り側温度センサ７で検出されるふろ戻り側温度Ｔ２℃から以下の式で算出されるふろ往き側流路５およびふろ戻り側流路４を流れる循環流量　Ｑ　Ｌ／ｍｉｎを学習する。
【００３７】
Ｑ＝ηＡ／（６０（Ｔ１−Ｔ２））
ただし上式において、ηは熱効率（たとえば０．８０）を表す。この時制御手段１０には、第２水流スイッチオン検出信号Ｄが入力され、制御手段１０は第２水流スイッチがオンしたことを外部入力装置９の表示画面上に表示する第２水流スイッチオン表示信号Ｈと、学習した循環流量（例えば９．０Ｌ／ｍｉｎ）を外部入力装置９表示画面上に表示する学習循環流量表示信号Ｊを出力する。施工業者等はこの第２水流スイッチ１３がオンし、かつ学習した循環流量（例えば９．０Ｌ／ｍｉｎ）が、第２水流スイッチのオフ流量（例えば６．０Ｌ／ｍｉｎ）よりも所定値（例えば１．０Ｌ／ｍｉｎ）大きい値（例えば７．０Ｌ／ｍｉｎ）よりも大きいことを確認し、モード切替手段１７において第２水流スイッチ１３を詰まり検出用として設定する。
【００３８】
ふろ追焚き運転等の循環ポンプ８作動時に、入浴者の髪の毛がふろアダプタ２のふろ戻り側流路４に吸い込まれる等の突発的なふろ戻り側流路４の詰まりが発生し、通常使用時の循環流量（例えば９．０Ｌ／ｍｉｎ）よりも減少（例えば５．０Ｌ／ｍｉｎ）すれば、通常使用時の循環流量（例えば９．０Ｌ／ｍｉｎ）ではオンしていた第２水流スイ　ッチがオフになるので、図３に示すように循環流量検知部１４からは詰まり検出信号Ａが制御手段１０に入力され、制御手段１０は循環ポンプ８に対し循環ポンプ８の駆動停止を行う循環ポンプ駆動停止信号Ｂを、外部入力手段９に対し外部入力手段表示部にふろ戻り側流路４中に詰まりが発生したことを示す詰まりエラー表示信号Ｃを出力する。
【００３９】
図１１は、試運転時に第２水流スイッチがオンであっても、学習した循環流量（例えば６．５Ｌ／ｍｉｎ）が第２水流スイッチのオフ流量（例えば６．０Ｌ／ｍｉｎ）よりも所定値（例えば１．０Ｌ／ｍｉｎ）大きくなければ詰まり検出用に第１水流スイッチ１２を採用する場合を示している。この時制御手段１０には、第２水流スイッチオン検出信号Ｄが入力され、制御手段１０は第２水流スイッチがオンしたことを外部入力装置９表示画面上に表示する第２水流スイッチオン表示信号Ｈと、学習した循環流量（例えば６．５Ｌ／ｍｉｎ）を外部入力装置９表示画面上に表示する学習循環流量表示信号Ｊを出力する。施工業者等はこの第２水流スイッチ１３がオンし、かつ学習した循環流量（例えば６．５Ｌ／ｍｉｎ）が、第２水流スイッチのオフ流量（例えば６．０Ｌ／ｍｉｎ）よりも所定値（例えば１．０Ｌ／ｍｉｎ）大きい値（例えば７．０Ｌ／ｍｉｎ）よりも小さいことを確認し、モード切替手段１７において第２水流スイッチ１２を詰まり検出用として設定する。
【００４０】
ふろ追焚き運転等の循環ポンプ８作動時に、入浴者の髪の毛がふろアダプタ２のふろ戻り側流路４に吸い込まれる等の突発的なふろ戻り側流路４の詰まりが発生し、通常使用時の循環流量（例えば６．５Ｌ／ｍｉｎ）よりも減少（例えば２．０Ｌ／ｍｉｎ）すれば、通常使用時の循環流量（例えば６．５Ｌ／ｍｉｎ）ではオンしていた第１水流スイッチがオフになるので、図２に示すように循環流量検知部１４からは詰まり検出信号Ａが制御手段１０に入力され、制御手段１０は循環ポンプ８に対し循環ポンプ８の駆動停止を行う循環ポンプ駆動停止信号Ｂを、外部入力手段９に対し外部入力手段表示部にふろ戻り側流路４中に詰まりが発生したことを示す詰まりエラー表示信号Ｃを出力する。
【００４１】
ここで詰まり検出用に第２水流スイッチ１３の採用を決定する際に、試運転時の第２水流スイッチのオン条件に加えて、学習した循環流量が第２水流スイッチのオフ流量（例えば６．０Ｌ／ｍｉｎ）に対して所定値（例えば１．０Ｌ／ｍｉｎ）よりも大きい条件を考慮するのは、第２水流スイッチの個体差等によるオフ流量のバラツキを払拭するためである。これは第２水流スイッチのオフ流量（例えば６．０Ｌ／ｍｉｎ）よりも確実に大きな循環流量時（例えば９．０Ｌ／ｍｉｎ）にふろ戻り側流路４の詰まりが発生し、循環流量低下（例えば５．０Ｌ／ｍｉｎ）する状況をふろ戻り側流路４の詰まりとして第２水流スイッチで確実に検出するためである。
【００４２】
なお、ふろ配管の流路抵抗が大きく循環ポンプ８の通常作動時循環流量が小さく、試運転時に第１水流スイッチ１２はオンであるが、第２水流スイッチオフ検出信号Ｆが入力され、時制御手段１０は第２水流スイッチがオフしたことを外部入力装置９表示画面上に表示する第２水流スイッチオフ表示信号Ｉを出力する。施工業者等はこの第２水流スイッチ１３がオフしたことを確認し、モード切替手段１７において第１水流スイッチ１２を詰まり検出用として設定する。ふろ追焚き運転等の循環ポンプ８作動時に、入浴者の髪の毛がふろアダプタ２のふろ戻り側流路４に吸い込まれる等の突発的なふろ戻り側流路４の詰まりが発生し、通常使用時の循環流量（例えば５．０Ｌ／ｍｉｎ）よりも減少（例えば２．０Ｌ／ｍｉｎ）すれば、通常使用時の循環流量（例えば５．０Ｌ／ｍｉｎ）ではオンしていた第１水流スイッチがオフになるので、図３に示すように循環流量検知部１４からは詰まり検出信号Ａが制御手段１０に入力され、制御手段１０は循環ポンプ８に対し循環ポンプ８の駆動停止を行う循環ポンプ駆動停止信号Ｂを、外部入力手段９に対し外部入力手段表示部にふろ戻り側流路４中に詰まりが発生したことを示す詰まりエラー表示信号Ｃを出力する。
【００４３】
以上より本構成において、ふろ追焚き運転等の循環ポンプ８作動時に、入浴者の髪の毛がふろアダプタ２のふろ戻り側流路４に吸い込まれる等の突発的なふろ戻り側流路４の詰まりが発生した場合、ふろ戻り側流路４の詰まりの発生を報知し、循環ポンプ８の駆動停止を行う機能を備えているため、入浴者が不安全な状来にさらされるような可能性が排除される。
【００４４】
（実施例５）
図３は、本発明実施例５の強制排水機能付きふろ釜の構成図である。図３において、ふろ追焚き運転等の循環ポンプ作動時に、入浴者の髪の毛がふろアダプタ２のふろ戻り側流路４に吸い込まれる等の突発的なふろ戻り側流路４の詰まりが発生して循環流量が低下した状態を検出するために、ふろ戻り側流路４中に循環流量検知部１４を設ける。この循環流量検知部１４には常時流量を検出できる水流センサ１５を設けている。制御手段１０中には、ふろ戻り側流路４の詰まりが発生して循環流量が低下した状態を検出するための、詰まり検出循環流量を決定する判断機能１６がある。この詰まり検出循環流量の決定は、本強制循環式ふろ釜を設置した際に施工業者等が行う試運転時に行われる。
【００４５】
図１２は試運転時に詰まり検出循環流量が決定される様子を示している。試運転時の追焚き時循環流量（例えば７．０Ｌ／ｍｉｎ）は、循環流用検知部１４内の水流センサ１５にて検出され、試運転時循環流量検出信号Ｋとして制御手段１０に入力される。この時制御手段１０内の判断機能１６は、入力された試運転時の追焚き時循環流量（例えば７．０Ｌ／ｍｉｎ）よりも所定量（例えば２．０Ｌ／ｍｉｎ）小さい循環流量を詰まり検出循環流量（例えば５．０Ｌ／ｍｉｎ）として決定する。
【００４６】
図３に示すように、ふろ追焚き運転等の循環ポンプ８作動時に、入浴者の髪の毛がふろアダプタ２のふろ戻り側流路４に吸い込まれる等の突発的なふろ戻り側流路４の詰まりが発生し、通常使用時の循環流量（例えば７．０Ｌ／ｍｉｎ）よりも詰まり検出循環流量（例えば５．０Ｌ／ｍｉｎ）以下になる循環流量（例えば４．０Ｌ／ｍｉｎ）が、詰まり検出信号Ａとして制御手段１０に入力されれば、制御手段１０は循環ポンプ８に対し循環ポンプ８の駆動停止を行う循環ポンプ駆動停止信号Ｂを、外部入力手段９に対し外部入力手段表示部にふろ戻り側流路４中に詰まりが発生したことを示す詰まりエラー表示信号Ｃを出力する。
【００４７】
以上より本構成において、ふろ追焚き運転等の循環ポンプ８作動時に、入浴者の髪の毛がふろアダプタ２のふろ戻り側流路４に吸い込まれる等の突発的なふろ戻り側流路４の詰まりが発生した場合、ふろ戻り側流路４の詰まりの発生を報知し、循環ポンプ８の駆動停止を行う機能を備えているため、入浴者が不安全な状来にさらされるような可能性が排除される。
【００４８】
（実施例６）
図３は、本発明実施例５の強制排水機能付きふろ釜の構成図である。図３において、ふろ追焚き運転等の循環ポンプ作動時に、入浴者の髪の毛がふろアダプタ２のふろ戻り側流路４に吸い込まれる等の突発的なふろ戻り側流路４の詰まりが発生して循環流量が低下した状態を検出するために、ふろ戻り側流路４中に循環流量検知部１４を設ける。この循環流量検知部１４には常時流量を検出できる水流センサ１５を設けている。制御手段１０中には、ふろ戻り側流路４の詰まりが発生して循環流量が低下した状態を検出するための、詰まり検出循環流量を決定する判断機能１６がある。この詰まり検出循環流量の決定は、本強制循環式ふろ釜を設置した際に施工業者等が行う試運転時に行われる。
【００４９】
図１３は試運転時に詰まり検出循環流量が決定される様子を示している。試運転時の追焚き時循環流量（例えば７．０Ｌ／ｍｉｎ）は、循環流用検知部１４内の水流センサ１５にて検出され、試運転時循環流量検出信号Ｋとして制御手段１０に入力される。この時制御手段１０は、外部入力手段９に対し外部入力手段表示部に検出した試運転時の追焚き時循環流量（例えば７．０Ｌ／ｍｉｎ）を表示する検出循環流量表示信号Ｌを出力する。外部入力手段９表示部に検出された試運転時の追焚き循環流量（例ば７．０Ｌ／ｍｉｎ）が表示されると、施工業者等はその値（例えば７．０Ｌ／ｍｉｎ）を確認し、この値（例えば７．０Ｌ／ｍｉｎ）から適切な詰まり検出循環流量（例えば４．５Ｌ／ｍｉｎ）を決定し、外部入力手段９を用いて決定した詰まり検出循環流量（例えば４．５Ｌ／ｍｉｎ）を入力する。外部入力手段９に入力された詰まり検出循環流量（例えば４．５Ｌ／ｍｉｎ）は、詰まり検出循環流量入力信号Ｍとして制御手段１０に入力され、制御手段１０内の判断機能１６はこの値を詰まり検出循環流量（例えば４．５Ｌ／ｍｉｎ）として決定する。
【００５０】
図３に示すように、ふろ追焚き運転等の循環ポンプ８作動時に、入浴者の髪の毛がふろアダプタ２のふろ戻り側流路４に吸い込まれる等の突発的なふろ戻り側流路４の詰まりが発生し、通常使用時の循環流量（例えば７．０Ｌ／ｍｉｎ）よりも詰まり検出循環流量（例えば４．５Ｌ／ｍｉｎ）以下になる循環流量（例えば４．０Ｌ／ｍｉｎ）が、詰まり検出信号Ａとして制御手段１０に入力されれば、制御手段１０は循環ポンプ８に対し循環ポンプ８の駆動停止を行う循環ポンプ駆動停止信号Ｂを、外部入力手段９に対し外部入力手段表示部にふろ戻り側流路４中に詰まりが発生したことを示す詰まりエラー表示信号Ｃを出力する。
【００５１】
以上より本構成において、ふろ追焚き運転等の循環ポンプ８作動時に、入浴者の髪の毛がふろアダプタ２のふろ戻り側流路４に吸い込まれる等の突発的なふろ戻り側流路４の詰まりが発生した場合、ふろ戻り側流路４の詰まりの発生を報知し、循環ポンプ８の駆動停止を行う機能を備えているため、入浴者が不安全な状来にさらされるような可能性が排除される。
【００５２】
【発明の効果】
以上のように、本発明の詰まり検出機能付強制循環式ふろ釜は、ふろ追焚き運転等の循環ポンプ作動時に、入浴者の髪の毛がふろアダプタのふろ戻り側流路に吸い込まれる等の突発的なふろ戻り側流路の詰まりが発生した場合、ふろ戻り側流路の詰まりの発生を報知し、循環ポンプの駆動停止を行う機能を備えているため、入浴者が不安全な状来にさらされるような可能性が排除されるという効果を有する。
【図面の簡単な説明】
【図１】本発明実施例１および実施例２のふろ釜の詰まり検出時の制御構成図
【図２】本発明実施例３および実施例４のふろ釜の詰まり検出時の制御構成図
【図３】本発明実施例５および実施例６のふろ釜の詰まり検出時の制御構成図
【図４】本発明実施例１の、詰まり検出用に第２水流スイッチが採用される場合の構成図
【図５】本発明実施例１および実施例２の、詰まり検出用に第２水流スイッチが採用される場合の構成図
【図６】本発明実施例２の詰まり検出用に第２水流スイッチが採用される場合の構成図
【図７】本発明実施例２の、詰まり検出用に第１水流スイッチが採用される場合の構成図
【図８】本発明実施例３の詰まり検出用に第２水流スイッチが採用される場合の構成図
【図９】本発明実施例３の詰まり検出用に第１水流スイッチが採用される場合の構成図
【図１０】−本発明実施例４の詰まり検出用に第２水流スイッチが採用される場合の構成図
【図１１】本発明実施例４の詰まり検出用に第１水流スイッチが採用される場合の構成図
【図１２】本発明実施例５の詰まり検出循環流量が決定される様子を示した構成図
【図１３】本発明実施例６の詰まり検出循環流量が決定される様子を示した構成図
【図１４】従来の強制循環式ふろ釜の構成図
【符号の説明】
１　浴槽
２　ふろアダプタ
３　ふろ往き側流路
４　ふろ戻り側流路
５　熱交換部
６　ふろ往き側温度センサ
７　ふろ戻り側温度センサ
８　循環ポンプ
９　外部入力装置
１０　制御手段
１１　水流スイッチ
１２　第１水流スイッチ
１３　第２水流スイッチ
１４　循環流量検知部
１５　水流センサ
１６　判断機能
１７　モード切替手段
【図１】
2004037045.tif 000007
【図２】
2004037045.tif 000008
【図３】
2004037045.tif 000009
【図４】
2004037045.tif 000010
【図５】
2004037045.tif 000011
【図６】
2004037045.tif 000012
【図７】
2004037045.tif 000013
【図８】
2004037045.tif 000014
【図９】
2004037045.tif 000015
【図１０】
2004037045.tif 000016
【図１１】
2004037045.tif 000017
【図１２】
2004037045.tif 000018
【図１３】
2004037045.tif 000019
【図１４】
2004037045.tif 000020